(57)【特許請求の範囲】
【請求項１】
ヘッドボックスからスクリーンを吊下支持し、前記スクリーンには開閉片を上下方向に複数段吊下支持し、該開閉片を角度調節することによりスクリーンを透過する光量を調節可能としたブラインドにおいて、
前記スクリーンを密織部と粗織部とから構成し、前記密織部を折り曲げて遮光性を備えた袋状部を形成し、該袋状部の基端部はその上方部を密織部とするとともに、下方部を粗織部とした接合部で接合して、前記開閉片を形成し、
前記接合部は、上方部を密織部とするとともに、下方部を粗織部とした第一の接合部と、該第一の接合部より開閉片の先端側に位置し、互いに密織部を接合する第二の接合部とから構成し、
前記袋状部に芯材を挿入したことを特徴とするブラインド。
【請求項２】
前記芯材は、板状としたことを特徴とする請求項１記載のブラインド。
【請求項３】
前記芯材は、丸棒としたことを特徴とする請求項１記載のブラインド。
【請求項４】
前記接合部は、前記スクリーンを縫い合わせた縫い目としたことを特徴とする請求項１乃至３のいずれかに記載のブラインド。
【請求項５】
前記スクリーンを昇降可能としたことを特徴とする請求項１乃至４のいずれかに記載のブラインド。
【発明の詳細な説明】
【０００１】
【発明の属する技術分野】
この発明は、ヘッドボックスから垂下されるスクリーンに、複数の開閉片を上下方向に等間隔に形成して、スクリーンの昇降及び開閉片の角度調節により採光量の調節を行うブラインドに関するものである。
【０００２】
【従来の技術】
図１４に示すブラインドは、例えばレース地のスクリーン１が所定間隔毎に折り曲げられ、その折り曲げ部分の基端部を縫製して袋状部２が形成され、その袋状部２に遮光性を備えた材質で形成された芯材３が挿入されて、開閉片４が形成されている。
【０００３】
そして、このようなスクリーン２がヘッドボックスから吊下支持され、スクリーン２を昇降装置で昇降したり、あるいは開閉片４を角度調節装置で角度調節することにより、採光量の調節が可能である。
【０００４】
このようなブラインドに類似するものとして、実開昭５１−１２２４２号あるいは特開昭５１−１３６３４４号がある。
【０００５】
【発明が解決しようとする課題】
上記のようなブラインドでは、スクリーン１がレース地で構成されるため、開閉片４の角度を調節することにより採光量を調節するためには、十分な遮光性を備えた材質で芯材３を形成する必要がある。従って、芯材３の材質が限定されるという問題点がある。
【０００６】
この発明の目的は、開閉片の芯材の自由度を向上させながら、採光量の調節を確実に行い得るブラインドを提供することにある。
【０００９】
【課題を解決するための手段】
請求項１では、ヘッドボックスからスクリーンを吊下支持し、前記スクリーンには開閉片を上下方向に複数段吊下支持し、該開閉片を角度調節することによりスクリーンを透過する光量を調節可能としたブラインドにおいて、前記スクリーンを密織部と粗織部とから構成し、前記密織部を折り曲げて遮光性を備えた袋状部を形成し、該袋状部の基端部はその上方部を密織部とするとともに、下方部を粗織部とした接合部で接合して、前記開閉片を形成し、前記接合部は、上方部を密織部とするとともに、下方部を粗織部とした第一の接合部と、該第一の接合部より開閉片の先端側に位置し、互いに密織部を接合する第二の接合部とから構成し、前記袋状部に芯材を挿入した。
【００１０】
請求項２では、前記芯材は、板状とした。
請求項３では、前記芯材は、丸棒とした。
【００１２】
請求項４では、前記接合部は、前記スクリーンを縫い合わせた縫い目とした。
請求項５では、前記スクリーンを昇降可能とした。
【００１３】
【発明の実施の形態】
（第一の実施の形態）
以下、この発明を具体化した第一の実施の形態を図面に従って説明する。図１に示すブラインドは、ヘッドボックス１１の後側面から織布で構成されたスクリーン１２が吊下支持され、そのスクリーン１２には開閉片１３が一定間隔毎に形成されている。
【００１４】
前記スクリーン１２の生地は、図３に示すように、織目が緻密な密織部１４ａと、織目が粗い粗織部１４ｂとが交互に形成されている。そして、その密織部１４ａが二つ折りに折り曲げられ、図４に示すように、その折り曲げ端部が２本の平行な第一及び第二の縫い目１５ａ，１５ｂで縫製されて、袋状部１６が形成される。前記開閉片１３は、前記袋状部１６に芯材１７が挿入されて構成される。
【００１５】
前記袋状部１６は、それ自身で十分な遮光性を備え、芯材１７には必ずしも遮光性を必要としない。
図５に示すように、前記第一の縫い目１５ａは、開閉片１３の基端部において、上方に位置する密織部１４ａと下方に位置する粗織部１４ｂとを縫い合わせるように形成され、第二の縫い目１５ｂは、第一の縫い目１５ａより開閉片１３の先端側において密織部１４ａを互いに縫い合わせるように形成される。
【００１６】
図２に示すように、前記各開閉片１３に挿入される芯材１７の両端部には、挿通孔１８を備えた係止具１９がそれぞれ形成され、その挿通孔１８に昇降テープ２０がそれぞれ挿通されている。
【００１７】
図１に示すように、前記昇降テープ２０の下端には、前記スクリーン１２の下端に接続されたボトムレール２１が接続され、昇降テープ２０の上端部は、前記ヘッドボックス１１内に案内されて、同ヘッドボックス１１両端部で巻取りドラム２２に巻着されている。
【００１８】
前記ヘッドボックス１１内には駆動軸２３が回転可能に支持され、その駆動軸２３の一端には巻取りギヤ２４が嵌着されている。そして、巻取りギヤ２４には前記巻取りドラム２２と同軸で形成された被動ギヤ２５が噛合されている。従って、駆動軸２３が回転されると巻取りドラム２２が回転されて、昇降テープ２０が巻取りドラム２２に巻き取られ、あるいは巻取りドラム２２から巻き戻されるようになっている。
【００１９】
前記ヘッドボックス１１の一側から操作コード２６が垂下され、その操作コード２６の操作により前記駆動軸２３を回転駆動可能となっている。そして、操作コード２６の操作により、駆動軸２３を昇降テープ２０の巻取り方向に回転させると、ボトムレール２１が引上げられて、スクリーン１２及び開閉片１３が下方から順次引上げられる。また、駆動軸２３を昇降テープ２０の巻戻し方向に回転させると、ボトムレール２１が下降して、スクリーン１２及び開閉片１３が下降する。
【００２０】
図２に示すように、前記開閉片１３の左右両側部の前端縁には、クリップ２７がそれぞれ取着され、そのクリップ２７にチルトコード２８ａ，２８ｂが挿通固定されている。前記チルトコード２８ａ，２８ｂの上端部は、前記ヘッドボックス１１内に回転可能に支持されたチルトドラム２９に巻着されている。
【００２１】
前記チルトドラム２９の近傍において、前記駆動軸２３にはチルトギヤ３０が取着され、そのチルトギヤ３０が前記チルトドラム２９に摩擦クラッチを介して接続された被動ギヤ３１に噛合されている。
【００２２】
従って、駆動軸２３が回転されると、チルトギヤ３０及び被動ギヤ３１を介してチルトドラム２９が回転され、チルトコード２８ａ，２８ｂの巻取りあるいは巻戻しが行われる。
【００２３】
このとき、駆動軸２３がスクリーン１２の引上げ方向に回転されると、チルトドラム２９がチルトコード２８ａ，２８ｂの巻取り方向に回転され、図６に示すように、開閉片１３が水平方向となるまで引上げられる。そして、開閉片１３が水平方向まで回動された後は、被動ギヤ３１の回転がチルトドラム２９には伝達されず、開閉片１３がそれ以上回動されないようになっている。
【００２４】
また、駆動軸２３がスクリーン１２の下降方向に回転されると、チルトドラム２９がチルトコード２８ａ，２８ｂの巻戻し方向に回転され、図７に示すように、開閉片１３がスクリーン１２から垂れ下がる状態となるまで回動する。そして、開閉片１３がスクリーン１２から垂れ下がる状態まで回動された後は、被動ギヤ３１の回転がチルトドラム２９には伝達されず、開閉片１３がそれ以上回動されないようになっている。
【００２５】
次に、上記のように構成されたブラインドの動作を説明する。操作コード２６を操作して駆動軸２３をスクリーン２の下降方向に回転操作すると、巻取りドラム２２から昇降テープ２０が巻き戻されて、ボトムレール２１が下降することによりスクリーン１２が下降する。
【００２６】
図７に示すように、ボトムレール２１が最下限まで下降されると、図８に示すように、各開閉片１３は第一の縫い目１５ａから第二の縫い目１５ｂまでの粗織部１４ｂ部分で折れ曲がり、スクリーン１２から垂れ下がる状態となる。この状態から、操作コード２６を操作して駆動軸２３をスクリーン引上げ方向に回転させれば、チルトコード２８ａ，２８ｂが引上げられて、図６に示すように、各開閉片１３が水平方向となるまで回動される。
【００２７】
また、操作コード２６を操作して、駆動軸２３をスクリーン引上げ方向に回転させると、昇降テープ２０が巻取りドラム２２に巻き取られて、ボトムレール２１が引上げられて、スクリーン１２が引上げられる。そして、図９に示すように、ボトムレール２１が最上限まで引上げられると、各開閉片１３はヘッドボックス１１とボトムレール２１との間で積層された状態となる。
【００２８】
上記のようなブラインドでは、次に示す作用効果を得ることができる。
（１）操作コード２６を操作してスクリーン１２を昇降することにより、採光量の調節を行うことができる。
（２）スクリーン１２を最下限まで下降させた状態で、開閉片１３を水平方向に角度調節すれば、スクリーン１２の粗織部１４ｂを介して柔らかな光を採り入れることができる。
（３）スクリーン１２を最下限まで下降させた状態で、開閉片１３の角度を調節することにより、採光量をさらに細かく調節することができる。
（４）開閉片１３は、密織部１４ａを折り曲げて縫製した袋状部１６のみで十分な遮光性を確保することができるので、芯材１７には必ずしも遮光性を確保する必要はない。従って、芯材１７の材質を任意に設定することができる。
（５）各袋状部１６の基端部には、上方に位置する密織部１４ａと下方に位置する粗織部１４ｂとを縫い合わせた第一の縫い目１５ａと、その第一の縫い目１５ａより開閉片１３の先端側において密織部１４ａを縫い合わせた第二の縫い目１５ｂが形成されている。従って、各開閉片１３及びボトムレール２１の重量により、スクリーン１２に上下方向の張力が作用しても、袋状部１６の縦糸への伝達が抑制されるので、開閉片１３の跳ね上がりを防止することができる。
【００２９】
図１０に示すように、開閉片１３の基端部において密織部１４ａを互いに縫い合わせた一本の縫い目１５ｃを形成すると、スクリーン１に大きな張力が作用したとき、図１１に示すように、スクリーン１の縦糸に作用する張力が袋状部１６を構成する密織部１４ａの縦糸に作用して開閉片１３が上方へ跳ね上がり、図１２に示すように上方に位置する開閉片１３ほど水平方向に跳ね上がる現象が発生する。
【００３０】
しかし、上記実施の形態では、第二の縫い目１５ｂから所定間隔を隔てて第一の縫い目１５ａが形成されているので、第一及び第二の縫い目１５ａ，１５ｂ間の粗織部１４ｂに弛みが生じた状態で開閉片１３が吊下支持される。この結果、スクリーン１２に上下方向の張力が作用しても、密織部１４ａの縦糸への張力の伝達を抑制して、開閉片１３の跳ね上がりを防止することができる。
（６）スクリーン１２を最下限まで下降させたとき、開閉片１３の跳ね上がりを防止することができるので、開閉片１３の全閉時には各開閉片１３をスクリーン１２から確実に垂下させて、確実に遮光することができる。また、各開閉片１３の角度を揃えることができるので、美観を向上させることができる。
（７）第一の縫い目１５ａの内側において、互いに密織部１４ａを縫い合わせた第二の縫い目１５ｂを設けたので、袋状部１６内への芯材１７の挿入時に、密織部１４ａの端部と芯材１７との擦れを未然に防止することができる。従って、密織部１４ａ端部のほつれを防止して、芯材１７の挿入作業を容易に行うことができる。
【００３１】
上記実施の形態は、次に示すように変更することもできる。
・袋状部１６は、十分な遮光性を備えているので、芯材１７を省略してもよい。
芯材１７を省略することにより、開閉片１３を含むスクリーン１２全体の質感を統一して、美観を向上させることができる。
・図１３に示すように、スクリーン１２の袋状部１６に、丸棒３２を芯材として挿入して開閉片１３を構成し、その丸棒３２をチルトコードで昇降して開閉片１３を角度調節する構成としてもよい。
・第一の縫い目１５ａに代えて、袋状部１６の基端部において、上方の密織部１４ａと下方の粗織部１４ｂとを接合する溶着部あるいは接着部を設けてもよい。
・第一の縫い目１５ａは、密織部１４ａの端部近傍において、粗織部１４ｂを互いに縫い合わせてもよい。このような構成により、開閉片１３を水平方向から更に上方へ回動させるとき、その角度調節動作を円滑に行うことができる。
・密織部１４ａは、開閉片１３の上面のみとし、開閉片１３の下面は粗織部１４ｂとしてもよい。
【００３２】
【発明の効果】
以上詳述したように、この発明は開閉片の芯材の自由度を向上させながら、採光量の調節を確実に行い得るブラインドを提供することができる。また、開閉片の跳ね上がりを防止して採光量の調節を確実に行い得るブラインドを提供することができる。
【図面の簡単な説明】
【図１】一実施の形態のブラインドを示す正面図である。
【図２】開閉片を示す斜視図である。
【図３】スクリーン生地を示す斜視図である。
【図４】袋状部を形成したスクリーンを示す斜視図である。
【図５】袋状部を形成したスクリーンを示す側面図である。
【図６】ブラインドを示す側面図である。
【図７】全閉状態のブラインドを示す側面図である。
【図８】全閉状態の開閉片を示す側面図である。
【図９】全開状態のブラインドを示す側面図である。
【図１０】密織部を縫い合わせた開閉片を示す側面図である。
【図１１】開閉片の跳ね上がりを示す側面図である。
【図１２】開閉片が跳ね上がったスクリーンを示す斜視図である。
【図１３】開閉片の別例を示す斜視図である。
【図１４】スクリーンの従来例を示す側面図である。
【符号の説明】
１１          ヘッドボックス
１２          スクリーン
１３          開閉片
１４ａ        密織部
１４ｂ        粗織部
１５ａ，１５ｂ          接合部（縫い目）
１６          袋状部
【図１】
0003563621.tif 000002
【図２】
0003563621.tif 000003
【図３】
0003563621.tif 000004
【図４】
0003563621.tif 000005
【図５】
0003563621.tif 000006
【図６】
0003563621.tif 000007
【図７】
0003563621.tif 000008
【図８】
0003563621.tif 000009
【図９】
0003563621.tif 000010
【図１０】
0003563621.tif 000011
【図１１】
0003563621.tif 000012
【図１２】
0003563621.tif 000013
【図１３】
0003563621.tif 000014
【図１４】
0003563621.tif 000015